【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
アズールＢ；
界面活性剤；
メタノール；および
エチレングリコール
を含む細胞固定液。
【請求項２】
０．５〜５ｇ／ＬのアズールＢを含む請求項１記載の細胞固定液。
【請求項３】
０．０５容量％〜０．５容量％の界面活性剤を含む請求項１記載の細胞固定液。
【請求項４】
０．０５容量％〜０．３容量％の界面活性剤を含む請求項１記載の細胞固定液。
【請求項５】
界面活性剤が、非イオン性、カチオン性、アニオン性および両性イオン性界面活性剤からなる群より選択される請求項１記載の細胞固定液。
【請求項６】
非イオン性界面活性剤がポリソルベート２０である請求項５記載の細胞固定液。
【請求項７】
０．５ｍＬ／Ｌ〜２ｍＬ／Ｌのポリソルベート２０を含む請求項６記載の細胞固定液。
【請求項８】
さらに緩衝剤を含む請求項１記載の細胞固定液。
【請求項９】
緩衝剤が、ビス−トリス、リン酸、ＨＥＰＥＳ、ＭＥＳ、トリスおよびそれらの任意の組み合わせからなる群より選択される請求項８記載の細胞固定液。
【請求項１０】
溶液の水での１：１０希釈物が、ｐＨ６〜８を有し、０．５ｍＭ〜１０ｍＭのＨＥＰＥＳを含む請求項９記載の細胞固定液。
【請求項１１】
溶液の水での１：１０希釈物が、ｐＨ６．７〜７．３を有し、０．５ｍＭ〜１０ｍＭのＨＥＰＥＳを含む請求項９記載の細胞固定液。
【請求項１２】
０．５〜５容量％のエチレングリコールを含む請求項１記載の細胞固定液。
【請求項１３】
固定液の水での１：１０００希釈物が、６４０〜６５０ｎｍのピーク波長で０．１〜１のＵＶ吸光度を有する請求項１記載の細胞固定液。
【請求項１４】
界面活性剤が非イオン性である請求項１記載の細胞固定液。
【請求項１５】
０．５ｇ／Ｌ〜５．０ｇ／ＬのアズールＢ；
０．５ｍＬ／Ｌ〜２．０ｍＬ／Ｌのポリソルベート２０；
５ｍＬ／Ｌ〜５０ｍＬ／Ｌのエチレングリコール；
０．１０ｇ／Ｌ〜１０ｇ／ＬのＨＥＰＥＳナトリウム塩；および
メタノール
を含む細胞固定液。
【請求項１６】
エオシンＹ；
緩衝剤；
界面活性剤；
塩化ナトリウム；
エチレングリコール；および
水
を含む細胞染色液。
【請求項１７】
抗菌剤をさらに含む請求項１６記載の細胞染色液。
【請求項１８】
０．２〜５０ｐｐｍの抗菌剤を含む請求項１７記載の細胞染色液。
【請求項１９】
抗菌剤が、塩化ベンザルコニウム、５−クロロ−２−メチル−４−イソチアゾリン−３−オン、２−メチル−４−イソチアゾリン−３−オン、ＰｒｏＣｌｉｎ（登録商標）、アジド、メルチオレート、抗生物質、およびそれらの任意の組み合わせからなる群より選択される請求項１７記載の細胞染色液。
【請求項２０】
抗菌剤が、５−クロロ−２−メチル−４−イソチアゾリン−３−オンおよび２−メチル−４−イソチアゾリン−３−オンを含む請求項１７記載の細胞染色液。
【請求項２１】
抗菌剤がＰｒｏＣｌｉｎ３００（登録商標）である請求項２０記載の細胞染色液。
【請求項２２】
酢酸をさらに含む請求項１６記載の細胞染色液。
【請求項２３】
０．５〜５容量％のエチレングリコールを含む請求項１６記載の細胞染色液。
【請求項２４】
５〜８のｐＨ、および５〜２５０ｍＭの緩衝剤濃度を有する請求項１６記載の細胞染色液。
【請求項２５】
緩衝剤が、ビス−トリス、リン酸、ＨＥＰＥＳ、ＭＥＳ、トリスおよびそれらの任意の組み合わせからなる群より選択される請求項１６記載の細胞染色液。
【請求項２６】
５．８〜６．２のｐＨ、および５ｍＭ〜２５０ｍＭのビス−トリス緩衝液濃度を有する請求項２５記載の細胞染色液。
【請求項２７】
０．０５〜０．５容量％の界面活性剤を含む請求項１６記載の細胞染色液。
【請求項２８】
０．０５〜０．３容量％の界面活性剤を含む請求項２７記載の細胞染色液。
【請求項２９】
界面活性剤が、非イオン性、カチオン性、アニオン性および両性イオン性界面活性剤からなる群より選択される請求項１６記載の細胞染色液。
【請求項３０】
非イオン性界面活性剤がポリソルベート２０である請求項２９記載の細胞染色液。
【請求項３１】
０．５ｍＬ／Ｌ〜２ｍＬ／Ｌのポリソルベート２０を含む請求項３０記載の細胞染色液。
【請求項３２】
１〜２０ｇ／Ｌの塩化ナトリウムを含む請求項１６記載の細胞染色液。
【請求項３３】
溶液の水での１：５００希釈物が、５１０〜５３０ｎｍのピーク波長で０．１〜１のＵＶ吸光度を有する請求項１６記載の細胞染色液。
【請求項３４】
界面活性剤が非イオン性である請求項１６記載の細胞染色液。
【請求項３５】
０．５ｇ／Ｌ〜５．０ｇ／ＬのエオシンＹ；
５ｍＭ〜２５０ｍＭのビス−トリス緩衝液；
０．５ｍＬ／Ｌ〜２．０ｍＬ／Ｌのポリソルベート２０；
１ｇ／Ｌ〜２０ｇ／Ｌの塩化ナトリウム；
５ｍＬ／Ｌ〜５０ｍＬ／Ｌのエチレングリコール；
０．２ｐｐｍ〜５０ｐｐｍのＰｒｏＣｌｉｎ３００（登録商標）；
酢酸；および
水
を含み、ｐＨ５．８〜６．２である細胞染色液。
【請求項３６】
アズールＢ；
メチレンブルー；
緩衝剤；
界面活性剤；
塩化ナトリウム；および
水
を含む細胞染色液。
【請求項３７】
抗菌剤をさらに含む請求項３６記載の細胞染色液。
【請求項３８】
０．２〜５０ｐｐｍの抗菌剤を含む請求項３７記載の細胞染色液。
【請求項３９】
抗菌剤が、塩化ベンザルコニウム、５−クロロ−２−メチル−４−イソチアゾリン−３−オン、２−メチル−４−イソチアゾリン−３−オン、ＰｒｏＣｌｉｎ（登録商標）、アジド、メルチオレート、抗生物質およびそれらの任意の組み合わせからなる群より選択される請求項３７記載の細胞染色液。
【請求項４０】
抗菌剤が、５−クロロ−２−メチル−４−イソチアゾリン−３−オンおよび２−メチル−４−イソチアゾリン−３−オンを含む請求項３７記載の細胞染色液。
【請求項４１】
抗菌剤がＰｒｏＣｌｉｎ３００（登録商標）である請求項４０記載の細胞染色液。
【請求項４２】
酢酸をさらに含む請求項３６記載の細胞染色液。
【請求項４３】
０．２５〜１ｇ／ＬのアズールＢを含む請求項３６記載の細胞染色液。
【請求項４４】
０．２５〜１ｇ／Ｌのメチレンブルーを含む請求項３６記載の細胞染色液。
【請求項４５】
５〜８のｐＨ、および５ｍＭ〜２５０ｍＭの緩衝剤濃度を有する請求項３６記載の細胞染色液。
【請求項４６】
緩衝剤が、ビス−トリス、リン酸、ＨＥＰＥＳ、ＭＥＳ、トリスおよびそれらの任意の組み合わせからなる群より選択される請求項３６記載の細胞染色液。
【請求項４７】
６．８〜７．２のｐＨ、および２５ｍＭ〜１００ｍＭのビス−トリス緩衝液濃度を有する請求項４６記載の細胞染色液。
【請求項４８】
０．０５〜０．５容量％の界面活性剤を含む請求項３６記載の細胞染色液。
【請求項４９】
０．０５〜０．３容量％の界面活性剤を含む請求項４８記載の細胞染色液。
【請求項５０】
界面活性剤が、非イオン性、カチオン性、アニオン性および両性イオン性界面活性剤からなる群より選択される請求項３６記載の細胞染色液。
【請求項５１】
非イオン性界面活性剤がポリソルベート２０である請求項５０記載の細胞染色液。
【請求項５２】
０．５ｍＬ／Ｌ〜２ｍＬ／Ｌのポリソルベート２０を含む請求項５１記載の細胞染色液。
【請求項５３】
１〜２０ｇ／Ｌの塩化ナトリウムを含む請求項３６記載の細胞染色液。
【請求項５４】
溶液の水での１：１０００希釈物が、６４０〜６６０ｎｍのピーク波長で０．１〜１のＵＶ吸光度を有する請求項３６記載の細胞染色液。
【請求項５５】
界面活性剤が非イオン性である請求項３６記載の細胞染色液。
【請求項５６】
０．２５ｇ／Ｌ〜２．５ｇ／ＬのアズールＢ；
０．２５ｇ／Ｌ〜２．５ｇ／Ｌのメチレンブルー；
５ｍＭ〜２５０ｍＭのビス−トリス緩衝液；
０．５ｍＬ／Ｌ〜２．０ｍＬ／Ｌのポリソルベート２０；
１．０ｇ／Ｌ〜２０ｇ／Ｌ塩化ナトリウム；および
０．２ｐｐｍ〜５０ｐｐｍのＰｒｏＣｌｉｎ３００（登録商標）；
酢酸；および
水
を含み、ｐＨが６．８〜７．２である細胞染色液。
【請求項５７】
ポリエチレングリコール；
緩衝剤；
界面活性剤；
メタノール；および
水
を含む自動標本調製装置用のリンス液。
【請求項５８】
抗菌剤をさらに含む請求項５７記載のリンス液。
【請求項５９】
０．２〜５０ｐｐｍの抗菌剤を含む請求項５８記載のリンス液。
【請求項６０】
抗菌剤が、塩化ベンザルコニウム、５−クロロ−２−メチル−４−イソチアゾリン−３−オン、２−メチル−４−イソチアゾリン−３−オン、ＰｒｏＣｌｉｎ（登録商標）、アジド、メルチオレート、抗生物質およびそれらの任意の組み合わせからなる群より選択される請求項５８記載のリンス液。
【請求項６１】
抗菌剤が、５−クロロ−２−メチル−４−イソチアゾリン−３−オンおよび２−メチル−４−イソチアゾリン−３−オンを含む請求項５８記載のリンス液。
【請求項６２】
抗菌剤がＰｒｏＣｌｉｎ３００（登録商標）である請求項６１記載のリンス液。
【請求項６３】
０．２〜２ｇ／Ｌのポリエチレングリコールを含む請求項５７記載のリンス液。
【請求項６４】
５〜８のｐＨ、および１ｍＭ〜５０ｍＭの緩衝剤濃度を有する請求項５７記載のリンス液。
【請求項６５】
緩衝剤が、ビス−トリス緩衝液、リン酸、ＨＥＰＥＳ、ＭＥＳ、トリスおよびそれらの任意の組み合わせからなる群より選択される請求項５７記載のリンス液。
【請求項６６】
０．０１〜０．１容量％の界面活性剤を含む請求項５７記載のリンス液。
【請求項６７】
０．０５０１〜０．３０６容量％の界面活性剤を含む請求項６６記載のリンス液。
【請求項６８】
界面活性剤が、非イオン性、カチオン性、アニオン性および両性イオン性界面活性剤からなる群より選択される請求項５７記載のリンス液。
【請求項６９】
非イオン性界面活性剤がポリソルベート２０である請求項６８記載のリンス液。
【請求項７０】
０．１ｍＬ／Ｌ〜０．４ｍＬ／Ｌのポリソルベート２０を含む請求項６９記載のリンス液。
【請求項７１】
９〜１１ｍＬ／Ｌのメタノールを含む請求項５７記載のリンス液。
【請求項７２】
界面活性剤が非イオン性である請求項５７記載のリンス液。
【請求項７３】
０．２ｇ／Ｌ〜１０ｇ／Ｌのポリエチレングリコール；
１ｍＭ〜２５０ｍＭのＨＥＰＥＳ緩衝液；
０．１０ｍＬ／Ｌ〜２．４０ｍＬ／Ｌのポリソルベート２０；
０．０４ｐｐｍ〜５０ｐｐｍのＰｒｏＣｌｉｎ３００（登録商標）；
９ｍＬ／Ｌ〜２００ｍＬ／Ｌメタノール；および
水
を含み、ｐＨが６．６〜７．０であるリンス液。
【請求項７４】
請求項１５記載の細胞固定液；
請求項３５記載の細胞染色液；
請求項５６記載の細胞染色液：および
請求項７３記載のリンス液
を含む標本調製キット。
【請求項７５】
請求項１５記載の細胞固定液で標本を処理すること、
請求項３５記載の細胞染色液で標本を処理すること、
請求項５６記載の細胞染色液で標本を処理すること、および
請求項７３記載のリンス液で標本を処理すること
を含む標本を調製する方法。